(57)【特許請求の範囲】
【請求項１】
ゴム状弾性体よりなり、筒状を呈し、外周面に取付部材の穴部の周縁部を嵌め込む溝部を設けた防振用のグロメットにおいて、
当該グロメットは、軸方向に２分割されることにより前記穴部に対し軸方向一方から挿入される一方の分割体と、軸方向他方から挿入される他方の分割体とを備え、
前記一方および他方の分割体は、前記挿入後、互いに係合して抜け止めをなす抜け止め用係合部を備え、
当該グロメットは、前記溝部の溝底部に相当する小径環状部位と、前記小径環状部位の軸方向一方に配置された第１大径環状部位と、前記小径環状部位の軸方向他方に配置された第２大径環状部位とを備え、このうち前記第１大径環状部位および前記小径環状部位の円周上一部である第１円弧部が前記一方の分割体によって形成されるとともに前記第２大径環状部位および前記小径環状部位の円周上残り一部である第２円弧部が前記他方の分割体によって形成され、
前記第１および第２円弧部に前記抜け止め用係合部が設けられていることを特徴とするグロメット。
【請求項２】
ゴム状弾性体よりなり、筒状を呈し、外周面に取付部材の穴部の周縁部を嵌め込む溝部を設けた防振用のグロメットにおいて、
当該グロメットは、軸方向に２分割されることにより前記穴部に対し軸方向一方から挿入される一方の分割体と、軸方向他方から挿入される他方の分割体とを備え、
前記一方および他方の分割体は、前記挿入後、互いに係合して抜け止めをなす抜け止め用係合部を備え、
前記一方および／または他方の分割体における前記溝部の内面に相当する位置に、当該グロメットを前記取付部材に対し回り止めすべく前記取付部材に設けた係合部に係合する回り止め用係合部が設けられていることを特徴とするグロメット。
【請求項３】
ゴム状弾性体よりなり、筒状を呈し、外周面に取付部材の穴部の周縁部を嵌め込む溝部を設けた防振用のグロメットにおいて、
当該グロメットは、軸方向に２分割されることにより前記穴部に対し軸方向一方から挿入される一方の分割体と、軸方向他方から挿入される他方の分割体とを備え、
前記一方および他方の分割体は、前記挿入後、互いに係合して抜け止めをなす抜け止め用係合部を備え、
当該グロメットは、前記溝部の溝底部に相当する小径環状部位と、前記小径環状部位の軸方向一方に配置された第１大径環状部位と、前記小径環状部位の軸方向他方に配置された第２大径環状部位とを備え、このうち前記第１大径環状部位および前記小径環状部位の円周上一部である第１円弧部が前記一方の分割体によって形成されるとともに前記第２大径環状部位および前記小径環状部位の円周上残り一部である第２円弧部が前記他方の分割体によって形成され、
前記第１および第２円弧部に前記抜け止め用係合部が設けられ、
前記一方および／または他方の分割体における前記溝部の内面に相当する位置に、当該グロメットを前記取付部材に対し回り止めすべく前記取付部材に設けた係合部に係合する回り止め用係合部が設けられていることを特徴とするグロメット。
【請求項４】
請求項１、２または３記載のグロメットにおいて、
前記一方および他方の分割体は、互いに同種のゴム材料によって成形され、または互いに異なる種類のゴム材料によって成形されていることを特徴とするグロメット。
【請求項５】
請求項１、２、３または４記載のグロメットにおいて、
前記一方および他方の分割体は、ゴム硬度を互いに同一に設定され、またはゴム硬度を互いに異なるように設定されていることを特徴とするグロメット。
【発明の詳細な説明】
【技術分野】
【０００１】
本発明は、防振技術に係るグロメットに関する。本発明のグロメットは例えば自動車等車両の関連分野で用いられ、または一般産業用機械の分野などで用いられる。
【背景技術】
【０００２】
従来から図４に示すように、ゴム状弾性体よりなる筒状のグロメット５１が知られており、このグロメット５１は図示するように、その外周面に設けた溝部５３に一方の取付部材６１の穴部６２の周縁部６３を嵌め込むことにより一方の取付部材（例えば吸気管ブラケット）６１に取り付けられるとともに、その中心軸穴５２に差し込んだボルト６４をナット６５に締結することにより他方の取付部材（例えば車両ボディ）６６に取り付けられ、両取付部材６１，６６を防振のうえ連結する機能を発揮する。
【０００３】
しかしながら、このグロメット５１はゴム状弾性体による一体の成形品として成形されているために、以下の問題がある。
【０００４】
すなわち、グロメット５１の外径が一方の取付部材６１の穴部６２の内径より大きく設定されているため、グロメット５１を一方の取付部材６１に取り付ける際にグロメット５１を大きく弾性変形させる必要がある。したがって取付時、グロメット５１に亀裂などが発生することがある。
【０００５】
また、このようにグロメット５１を大きく弾性変形させつつグロメット５１に亀裂などが発生しないように慎重に取り付ける必要があるため、取付作業に熟練を要し、多くの手間と時間がかかる。また、このようにグロメット５１を取り付けにくいと云うことは、グロメット５１を取り外しにくいと云うことでもある。
【０００６】
また、ボルト６４およびナット６５の締結時、グロメット５１に回転トルクが作用するため、グロメット５１が供回りして円周方向に捩れた状態で取り付けられ、これがボルト６４およびナット６５の締結が早期に緩む原因となることがある。
【先行技術文献】
【特許文献】
【０００７】
【特許文献１】特開２００８−９５８８５号公報
【発明の概要】
【発明が解決しようとする課題】
【０００８】
本発明は以上の点に鑑みて、グロメットを取付部材に取り付ける際にグロメットを大きく弾性変形させる必要がなく、よってグロメットに亀裂などが発生することがなく、取付作業を容易化することもできるグロメットを提供することを目的とする。
【０００９】
またこれに加えて、ボルト・ナットの締結時にグロメットが供回りすることがなく、よってグロメットが円周方向に捩れた状態で取り付けられることがないグロメットを提供することを目的とする。
【課題を解決するための手段】
【００１０】
上記目的を達成するため、本発明の請求項１によるグロメットは、ゴム状弾性体よりなり、筒状を呈し、外周面に取付部材の穴部の周縁部を嵌め込む溝部を設けた防振用のグロメットにおいて、当該グロメットは、軸方向に２分割されることにより前記穴部に対し軸方向一方から挿入される一方の分割体と、軸方向他方から挿入される他方の分割体とを備え、前記一方および他方の分割体は、前記挿入後、互いに係合して抜け止めをなす抜け止め用係合部を備え、当該グロメットは、前記溝部の溝底部に相当する小径環状部位と、前記小径環状部位の軸方向一方に配置された第１大径環状部位と、前記小径環状部位の軸方向他方に配置された第２大径環状部位とを備え、このうち前記第１大径環状部位および前記小径環状部位の円周上一部である第１円弧部が前記一方の分割体によって形成されるとともに前記第２大径環状部位および前記小径環状部位の円周上残り一部である第２円弧部が前記他方の分割体によって形成され、前記第１および第２円弧部に前記抜け止め用係合部が設けられていることを特徴とする。
【００１１】
また、本発明の請求項２によるグロメットは、ゴム状弾性体よりなり、筒状を呈し、外周面に取付部材の穴部の周縁部を嵌め込む溝部を設けた防振用のグロメットにおいて、当該グロメットは、軸方向に２分割されることにより前記穴部に対し軸方向一方から挿入される一方の分割体と、軸方向他方から挿入される他方の分割体とを備え、前記一方および他方の分割体は、前記挿入後、互いに係合して抜け止めをなす抜け止め用係合部を備え、前記一方および／または他方の分割体における前記溝部の内面に相当する位置に、当該グロメットを前記取付部材に対し回り止めすべく前記取付部材に設けた係合部に係合する回り止め用係合部が設けられていることを特徴とする。
【００１２】
また、本発明の請求項３によるグロメットは、ゴム状弾性体よりなり、筒状を呈し、外周面に取付部材の穴部の周縁部を嵌め込む溝部を設けた防振用のグロメットにおいて、当該グロメットは、軸方向に２分割されることにより前記穴部に対し軸方向一方から挿入される一方の分割体と、軸方向他方から挿入される他方の分割体とを備え、前記一方および他方の分割体は、前記挿入後、互いに係合して抜け止めをなす抜け止め用係合部を備え、当該グロメットは、前記溝部の溝底部に相当する小径環状部位と、前記小径環状部位の軸方向一方に配置された第１大径環状部位と、前記小径環状部位の軸方向他方に配置された第２大径環状部位とを備え、このうち前記第１大径環状部位および前記小径環状部位の円周上一部である第１円弧部が前記一方の分割体によって形成されるとともに前記第２大径環状部位および前記小径環状部位の円周上残り一部である第２円弧部が前記他方の分割体によって形成され、前記第１および第２円弧部に前記抜け止め用係合部が設けられ、前記一方および／または他方の分割体における前記溝部の内面に相当する位置に、当該グロメットを前記取付部材に対し回り止めすべく前記取付部材に設けた係合部に係合する回り止め用係合部が設けられていることを特徴とする。
【００１４】
また、本発明の請求項４によるグロメットは、上記した請求項１、２または３記載のグロメットにおいて、前記一方および他方の分割体は、互いに同種のゴム材料によって成形され、または互いに異なる種類のゴム材料によって成形されていることを特徴とする。
【００１５】
更にまた、本発明の請求項５によるグロメットは、上記した請求項１、２、３または４記載のグロメットにおいて、前記一方および他方の分割体は、ゴム硬度を互いに同一に設定され、またはゴム硬度を互いに異なるように設定されていることを特徴とする。
【００１６】
上記構成を備える本発明においては、グロメットが、軸方向に２分割されることにより取付部材の穴部に対し軸方向一方から挿入される一方の分割体と、軸方向他方から挿入される他方の分割体とを備えているため、これら分割体はいずれも、取付部材に取り付ける際に大きく弾性変形する必要のない形状とすることが可能とされる。また、これら分割体は穴部への挿入後、互いに係合して抜け止めをなす抜け止め用係合部を備えているため、取付部材から外れにくい。
【００１７】
ゴム状弾性体よりなり、筒状を呈し、外周面に取付部材の穴部の周縁部を嵌め込む溝部を設けた防振用のグロメットは、これを仕分け直すと、溝部の溝底部に相当する小径環状部位と、小径環状部位の軸方向一方に配置された第１大径環状部位と、小径環状部位の軸方向他方に配置された第２大径環状部位とを備えているため、上記２分割に際しては、このうち第１大径環状部位および小径環状部位の円周上一部である第１円弧部を一方の分割体によって形成するとともに第２大径環状部位および小径環状部位の円周上残り一部である第２円弧部を他方の分割体によって形成するのが好適であり、これによれば取付部材の穴部に対し軸方向一方から第１円弧部を挿入するとともに軸方向他方から第２円弧部を挿入することにより、各分割体を大きく弾性変形させることなく取り付けることが可能とされる。この場合、抜け止め用係合部はこれら第１および第２円弧部に設けられる。
【００１８】
抜け止め用係合部の具体例としては、抜け止め方向に互いに係合する一対の爪状部の組み合わせとするのが好適であり、これによれば爪状部同士が係合することにより、確実な抜け止めが図られる。またこの場合、一方の爪状部の先端部に、他方の爪状部が挿入時に弾性変形しやすくするための傾斜面状の案内面を設けるのが好適であり、これによれば分割体同士を軸方向に押し付けることにより一方の爪状部を他方の爪状部が容易に乗り越えるため、爪状部同士を容易に係合させることが可能とされる。
【００１９】
また、一方および／または他方の分割体における溝部の内面に相当する位置に回り止め用係合部を設けてこれを取付部材に設けた係合部と係合することにより、ボルト・ナットの締結時にグロメットが供回りするのを抑制することが可能とされる。
【００２０】
一方および他方の分割体は、これらを互いに同種のゴム材料によって成形しても良いが、互いに異なる種類のゴム材料によって成形しても良い。また一方および他方の分割体は、ゴム硬度を互いに同一に設定しても良いが、ゴム硬度を互いに異なるように設定しても良く、これらによればゴム材料またはゴム硬度についての組み合わせが多様化されるため、製品仕様を多様化することが可能とされる。
【発明の効果】
【００２１】
本発明は、以下の効果を奏する。
【００２２】
すなわち、本発明においては上記したように、グロメットが、軸方向に２分割されることにより取付部材の穴部に対し軸方向一方から挿入される一方の分割体と、軸方向他方から挿入される他方の分割体とを備えているため、これら分割体はいずれも、取付部材に取り付ける際に大きく弾性変形する必要のない形状とすることが可能とされている。また、これら分割体は穴部への挿入後、互いに係合して抜け止めをなす抜け止め用係合部を備えているため、取付部材から外れにくい。したがって、グロメットを取付部材に取り付ける際にグロメットを大きく弾性変形させる必要がないため、グロメットに亀裂などが発生するのを防止することができ、併せて取付作業を容易化することができる。
【００２３】
抜け止め用係合部を一対の爪状部の組み合わせとする場合には、爪状部同士が係合することにより確実な抜け止めを図ることができ、一方の爪状部の先端部に傾斜面状の案内面を設ける場合には、分割体同士を軸方向に押し付けることにより爪状部同士を容易に係合させることができる。
【００２４】
また、分割体における溝部の内面に相当する位置に突起状の回り止め部を設けてこれを取付部材に設けた凹部に係合する場合には、ボルト・ナットの締結時にグロメットが供回りするのが抑制されるため、グロメットが円周方向に捩れた状態で取り付けられるのを防止することができる。
【００２５】
また、一方および他方の分割体を互いに異なる種類のゴム材料によって成形したり、ゴム硬度を互いに異なるように設定したりする場合には、製品仕様を多様化することができる。
【図面の簡単な説明】
【００２６】
【図１】本発明の実施例に係るグロメットを示す図で、（Ａ）は同グロメットを組み立てる前の状態を示す斜視図、（Ｂ）は同グロメットを組み立てた後の状態を示す斜視図
【図２】同グロメットを示す図で、（Ａ）は同グロメットを組み立てる前の状態を示す断面図、（Ｂ）は同グロメットを組み立てた後の状態を示す断面図
【図３】同グロメットを示す図で、（Ａ）は同グロメットを取付部材に取り付ける前の状態を示す断面図、（Ｂ）は同グロメットを取付部材に取り付けた後の状態を示す断面図
【図４】従来例に係るグロメットの取付状態を示す断面図
【発明を実施するための形態】
【００２７】
本発明には、以下の実施形態が含まれる。
（１）本発明では、グロメットを２分割することで組み付け性を向上し、組み付けによる変形、亀裂を防止する。
（２）また、２分割タイプにすることで違うゴム材料・ゴム硬度を組み合わせることができ、それぞれ取り付ける場所により要求仕様（耐熱性、耐油性、支持荷重等）が異なる場合でも違うゴム材料・ゴム硬度を組み合わせることで対応することが可能となる。
（３）グロメットを２分割することで突起を設け易くなり、突起をストッパとして使用することで捩り方向への供回りを防止する。
【実施例】
【００２８】
つぎに本発明の実施例を図面にしたがって説明する。
【００２９】
図１〜図３は、本発明の実施例に係るグロメット１１を示している。当該実施例に係るグロメット１１は、ゴム状弾性体よりなり、筒状を呈し、外周面に一方の取付部材６１の穴部６２の周縁部６３を嵌め込むための環状の溝部１３を設けた防振用のグロメットであって、軸方向（図では上下方向）に２分割されることにより取付部材６１の穴部６２に対し軸方向一方（図では下方）から挿入される一方の分割体１４と、軸方向他方（図では上方）から挿入される他方の分割体１５とを備え、これら一方および他方の分割体１４，１５に、挿入後、互いに係合して穴部６２からの抜け止めをなすための抜け止め用係合部１６が設けられている。
【００３０】
一方の取付部材６１は、プレート状の部材であって例えば自動車等車両における吸気管系のブラケットであり、この一方の取付部材６１に設けた穴部６２の周縁部６３を溝部１３に嵌め込むことにより当該グロメット１１が一方の取付部材６１に取り付けられる。またグロメット１１は、その中心軸穴１２にボルト（図示せず）を差し込んでナット（図示せず）に締結することにより他方の取付部材（図示せず）に取り付けられる。グロメット１１およびボルト間にはボルト締めを定寸止めするため、金属等剛材製のブッシュ（図示せず）が介装されることが多い。他方の取付部材は例えば自動車等車両における車両ボディである。したがって当該グロメット１１はこの両取付部材を防振のうえ連結する機能を発揮する。
【００３１】
また、当該実施例に係るグロメット１１は図２（Ｂ）に示すように、溝部１３の溝底部に相当する小径環状部位１１Ａと、この小径環状部位１１Ａの軸方向一方に配置された第１大径環状部位１１Ｂと、小径環状部位１１Ａの軸方向他方に配置された第２大径環状部位１１Ｃとを備え、このうち第１大径環状部位１１Ｂおよび小径環状部位１１Ａの円周上一部（平面上ほぼ１８０度範囲の部位）である第１円弧部１１Ａａが一方の分割体１４によって形成されるとともに、第２大径環状部位１１Ｃおよび小径環状部位１１Ａの円周上残りの一部（平面上ほぼ１８０度範囲の部位）である第２円弧部１１Ａｂが他方の分割体１５によって形成され、第１および第２円弧部１１Ａａ，１１Ａｂの円周上端部にそれぞれ抜け止め用係合部１６が設けられている。
【００３２】
この抜け止め用係合部１６は、抜け止め方向に互いに係合する一対の爪状部１７，１８の組み合わせよりなり、一方の爪状部１７の先端部に、他方の爪状部１８が挿入時に弾性変形しやすくするための先端へ向けて下り勾配の傾斜面状の案内面１９が設けられ、他方の爪状部１８の先端部にも対応して同様の傾斜面状の案内面２０が設けられている。
【００３３】
また、一方の分割体１４における溝部１３の内面に相当する位置であって第１大径環状部位１１Ｂの端面位置に、当該グロメット１１を一方の取付部材６１に対し回り止めすべく取付部材６１に設けた穴状の係合部６７に係合する突起状の回り止め用係合部２１が設けられ、他方の分割体１５における溝部１３の内面に相当する位置であって第２大径環状部位１１Ｃの端面位置にも、当該グロメット１１を一方の取付部材６１に対し回り止めすべく取付部材６１に設けた穴状の係合部６８に係合する突起状の回り止め用係合部２２が設けられている。穴状の係合部６７，６８はこれに代えて凹部状の係合部であっても良く、凹凸の関係は反対であっても良い。
【００３４】
上記構成を備えるグロメット１１においては、軸方向に２分割されることにより一方の取付部材６１の穴部６２に対し軸方向一方から挿入される一方の分割体１４と、軸方向他方から挿入される他方の分割体１５とが備えられ、これら分割体１４，１５がいずれも、取付部材６１に取り付ける際に大きく弾性変形する必要のない形状とされている。また、これら分割体１４，１５は穴部６２への挿入後、互いに係合して抜け止めをなすための抜け止め用係合部１６を備えているため、取付部材６１から外れることがない。したがってグロメット１１を取付部材６１に取り付ける際にグロメット１１を大きく弾性変形させる必要がないため、グロメット１１に亀裂などが発生するのを防止することができ、併せて取付作業、更には取外し作業を容易化することができる。
【００３５】
また、抜け止め用係合部１６が、第１および第２円弧部１１Ａａ，１１Ａｂの円周上端部にそれぞれ設けた爪状部１７，１８を互いに係合させるものとされているため、確実な係合、延いては確実な抜け止めを実現することができる。
【００３６】
また、爪状部１７，１８の先端部に傾斜面状の案内面１９，２０が設けられているため、分割体１４，１５同士を軸方向に押し付けるのみで一方の爪状部１７を他方の爪状部１８が容易に乗り越える。したがって容易に係合するとともに外れにくい構造の爪状部１７，１８による抜け止め構造を提供することができる。
【００３７】
また、一方および他方の分割体１４，１５における溝部１３の内面に相当する位置に突起状の回り止め用係合部２１，２２が設けられているため、この回り止め用係合部２１，２２を取付部材６１に設けた穴状の係合部６７，６８と係合することにより、ボルト・ナットの締結時にグロメット１１が供回りするのが抑制される。したがってグロメット１１が円周方向に捩れた状態で取り付けられるのを防止することができ、延いてはボルト・ナットの締結が早期に緩むのを防止することができる。
【００３８】
尚、上記一方および他方の分割体１４，１５は、互いに同種のゴム材料によって成形されるが、互いに異なる種類のゴム材料によって成形されるものであっても良い。また一方および他方の分割体１４，１５は、ゴム硬度を互いに同一に設定されるが、ゴム硬度を互いに異なるように設定されるものであっても良い。そして、これらによればゴム材料またはゴム硬度についての組み合わせが多様化されるため、グロメット製品仕様を多様化することができる。
【符号の説明】
【００３９】
１１  グロメット
１１Ａ  小径環状部位
１１Ａａ  第１円弧部
１１Ａｂ  第２円弧部
１１Ｂ  第１大径環状部位
１１Ｃ  第２大径環状部位
１２  中心軸穴
１３  溝部
１４  一方の分割体
１５  他方の分割体
１６  抜け止め用係合部
１７，１８  爪状部
１９，２０  案内面
２１，２２  回り止め用係合部
６１  取付部材
６２  穴部
６３  周縁部
６７，６８  係合部
【図１】
0005964130.tif 000002
【図２】
0005964130.tif 000003
【図３】
0005964130.tif 000004
【図４】
0005964130.tif 000005